(57)【要約】【課題】簡単な構成で装置自体を複雑化することなく、しかも高効率で油分等の分離対象物を分離することができる加圧浮上分離装置、並びにこの加圧浮上分離装置を用いた処理システムを提供する。【解決手段】分離対象物を含む原水を導入する導入部２と、この導入部２の反対側に配設された排出部３とを備え、導入部２を通じて導入された原水を貯留する処理槽４と、処理槽４内に設けられ、上端５１が排出部３側に下端５２が導入部２側になるように傾斜して配置され、下端５２と処理槽４の底面とに形成された連通部４ａを通じて導入部２側と排出部３側とが連通するように導入部２側と排出部３側とを区画する傾斜板５と、傾斜板５の上面上方に配置され、導入部２から導入される原水中に微細気泡を放出する微細気泡放出手段６と、水面に浮上した分離対象物を処理槽４から除去する除去手段５３とを備えている。【選択図】  図１
2007021344.tif 000002
【特許請求の範囲】
【請求項１】
分離対象物を含む原水を導入する導入部と、この導入部の反対側に配設された排出部とを備え、導入部を通じて導入された原水を貯留する処理槽と、
処理槽内に設けられ、上端が上記排出部側に下端が上記導入部側になるように傾斜して配置され、下端と処理槽の底面とに形成された連通部を通じて導入部側と排出部側とが連通するように当該導入部側と排出部側とを区画する傾斜板と、
傾斜板の上面上方に配置され、上記導入部から導入される原水中に微細気泡を放出する微細気泡放出手段と、
水面に浮上した分離対象物を処理槽から除去する除去手段とを備えたことを特徴とする加圧浮上分離装置。
【請求項２】
請求項１記載の加圧浮上分離装置で処理した処理水を磁性分離装置に導入し、処理水中のＳＳ（浮遊物質）やＣＯＤ（化学的酸素要求量）成分に磁性を持たせた後、これらＳＳ、ＣＯＤ成分を磁性フィルタに生じさせた高勾配磁場の作用で捕捉するようになされたことを特徴とする加圧浮上分離装置を用いた処理システム。
【発明の詳細な説明】
【技術分野】
【０００１】
本発明は、加圧浮上分離装置、並びにこの加圧浮上分離装置を用いた処理システムに関し、洗浄水などの廃水から油分等を除去する技術に関するものである。
【背景技術】
【０００２】
従来、例えば洗浄水などの廃水を貯留した廃水槽の底部から微細気泡を廃水中に放出することにより、当該微細気泡を廃水中の懸濁物質に付着させて見かけ密度を小さくして浮上させることで、廃水中の油液分離を行う加圧浮上分離装置が提供されている（例えば、特許文献１参照。）。
【特許文献１】特開平９−２９９９２９号公報
【発明の開示】
【発明が解決しようとする課題】
【０００３】
ところで、上述したような加圧浮上分離装置は、従来から種々提供されており、このような加圧浮上分離装置では、装置構成を複雑化することなく簡単なものとした上で、油液分離をいかに効率良くできるかが課題になっていた。
【０００４】
本発明は、上記課題に鑑みてなされたもので、その目的とするところは、簡単な構成で装置自体を複雑化することなく、しかも高効率で油分等の分離対象物を分離することができる加圧浮上分離装置、並びにこの加圧浮上分離装置を用いた処理システムを提供することにある。
【課題を解決するための手段】
【０００５】
上記の目的を達成するため、請求項１に係る発明の加圧浮上分離装置は、分離対象物を含む原水を導入する導入部と、この導入部の反対側に配設された排出部とを備え、導入部を通じて導入された原水を貯留する処理槽と、処理槽内に設けられ、上端が上記排出部側に下端が上記導入部側になるように傾斜して配置され、下端と処理槽の底面とに形成された連通部を通じて導入部側と排出部側とが連通するように当該導入部側と排出部側とを区画する傾斜板と、傾斜板の上面上方に配置され、上記導入部から導入される原水中に微細気泡を放出する微細気泡放出手段と、水面に浮上した分離対象物を処理槽から除去する除去手段とを備えたものである。
【０００６】
請求項２に係る発明の加圧浮上分離装置を用いた処理システムは、加圧浮上分離装置で処理した処理水を磁性分離装置に導入し、処理水中のＳＳ（浮遊物質）やＣＯＤ（化学的酸素要求量）成分に磁性を持たせた後、これらＳＳ、ＣＯＤ成分を磁性フィルタに生じさせた高勾配磁場の作用で捕捉するようになされたものである。
【発明の効果】
【０００７】
本発明によれば、装置構成を複雑化させることなく簡単な構成によって、原水中の油分などの分離対象物を好適に高効率で分離・浮上させることができ、このため油分等を高い精度で捕捉をすることができる。
【発明を実施するための最良の形態】
【０００８】
以下、本発明の実施の形態について図面を参照して説明する。
【０００９】
図１は、本発明の加圧浮上分離装置の構成を示している。
【００１０】
この加圧浮上分離装置１は、洗浄水などの廃水（原水）中に含む分離対象物である油分を分離処理するもので、含油原水を導入する導入部２と、この導入部２と対峙する反対側に設けられた排水部３を有する処理槽４と、処理槽４内に設けられた傾斜板５と、傾斜板５の上方に設けられた微細気泡放出手段６とを備えている。
【００１１】
上記処理槽４は、導入部２を通じて導入される原水を所定量貯留して当該原水中に含まれる油分を分離するためのもので、上面が開口された箱状体になされている。
【００１２】
上記導入部２は、処理槽４に貯留された原水の水位よりも上方に箱体２１が配置されるとともに、この箱体２１にポンプＰが介装された導入管２２が接続されており、ポンプＰの作動によって導入管２２を通じて原水を箱体２１に導入するようにしている。
【００１３】
この箱体２１は、図２に示すように一側面が開口２１ａされており、この開口２１ａを排水部３側に向けて配置している。従って、箱体２１に導入された原水は開口２１ａを通じて水面に投入される。
【００１４】
上記排水部３は、排水管３１を備えてなり、この排水管３１の一端開口を原水内の所定深さ位置で例えば下に向けて配置しており、その他端が処理槽４の側面を挿通して外部に導かれている。そして、排水管３１は、図示しない開閉弁を設けてこの開閉弁の開放によって処理水を排水するか、又は必要に応じてポンプを設けて処理水を強制的に吸引するようにしている。
【００１５】
上記傾斜板５は、処理槽４を導入部２側と排水部３側とに区画するように当該処理槽４の図１における奥行き方向全体に配設された板状体であって、上端５１から下端５２に向かって導入部２側に傾斜するように配置されている。そして、上記上端５１は水面に面して配置されるとともに、下端５２が処理槽４の底面と所定間隔隔てた状態で配置されている。つまり、処理槽４内では、傾斜板５で区画された導入部２側と排出部３側とが傾斜板５の下端５２と処理槽４の底面との間に形成された連通部４ａを通じて連通されている。
【００１６】
さらに、傾斜板５の上端部には除去手段としての廃水溝５３が設けられている。廃水溝５３は、水面上に浮遊する油分をオーバーフロー方式によって内部に受け入れて外部に除去するためのもので、傾斜板５と同様に処理槽４の図１における奥行き方向全体に亘って配設されている。具体的には、傾斜板５の上端部と、この上端部寄りから水面まで上方に立上げた立上げ片５４とで縦断面三角形状に形成されている。
【００１７】
また、処理槽４には、油水の界面を検知する界面検知センサ７が設けられており、水面上の油分が所定の厚みになればこれを界面検知センサ７によって検出し、ポンプＰで原水を処理槽４に導入して水位を高くすることで、水面に浮遊する油分を廃水溝５３内に導入して外部に排出する。
【００１８】
上記微細気泡放出手段６は、前記傾斜板５の上面上方に図１における奥行き方向に配置された所定長さを有する噴出管６１と、この噴出管６１に接続管６２を通じて連結された微細気泡発生装置６３とから構成されている。
【００１９】
噴出管６１は、その周面に複数の噴出口（図示省略）が形成されており、微細気泡発生装置６３から接続管６２を通じて送給される加圧水を噴出口から噴出するようにしている。そして、このように加圧水を噴出管６１から常圧下に噴出させることによって当該加圧水から例えば約１０〜３０ミクロン程度の微細気泡が発生し、この微細気泡が原水中に放出されることになる。
【００２０】
また、この噴出管６１は、本実施の形態では傾斜板５に沿うようにして上下に所定の間隔を隔てて例えば２本が並行に配設されている。
【００２１】
次に、このように構成された加圧浮上分離装置１による原水処理について説明する。
【００２２】
まず、導入部２ではポンプＰを作動させて導入管２２を通じて原水を箱体２１内に上方から導入する。このように原水を箱体２１内に上方から導入することによって落下による衝撃が原水に与えられ、この衝撃によりエマルジョン化した原水中の油が顕在化し、このような原水を開口２１ａから下方の水面に流下させる。
【００２３】
この際、噴出管６１からは微細気泡発生装置６３から送給される加圧水によって微細気泡が処理槽４に貯留されている原水中に放出されて水面に向かって上昇しており、この微細気泡と水面に流下した原水とがぶつかることで原水中の油分に微細気泡を付着させ、このように微細気泡を付着させることで油分の見かけ密度を小さくして当該油分を浮上・分離させる。
【００２４】
また、傾斜板５の傾斜作用によって傾斜板５よりも導入部２側内において原水には循環流が生じており、これによって微細気泡による上昇作用とともに原水と微細気泡とが好適に撹拌されて上述した油分への微細気泡の付着を促進させることができる。
【００２５】
そして、水面上に浮上した油分がある程度の厚みになると、界面検知センサ７がこれを検知し、この検知により新たに原水を導入部２から導入して水位を上昇させることで、捕捉した油分を廃水溝５３にオーバーフローさせて除去する。
【００２６】
一方、油分を捕捉した残りの原水は傾斜板５の下端下方の連通部４ａを通じて排出部３側に導入され、処理水として排出部３の排水管３１から開閉弁の開放等によって排出される。
【００２７】
また、このように原水中の油分は殆どが傾斜板５よりも導入部２側で捕捉されるものの、一部の油分が連通部４ａを通じて排出部３側に導入される場合もあり、この場合には油分が傾斜板５の下面を伝って水面上に導かれて前述と同様に廃水溝５３から除去されることになる。
【００２８】
このように装置構成を複雑化させることなく簡単な構成によって、原水中の油分を好適に高効率で分離・浮上させることができ、このため油分を高い精度で捕捉をすることができる。
【００２９】
なお、傾斜板５の傾斜角度や、噴出管６１、傾斜板５及び箱体２１の位置関係は、上述したように油分を好適に分離できるように相対的に設定すればよい。
【００３０】
図３は、前述した加圧浮上分離装置を用いた処理システムの概略を示している。
【００３１】
この処理システムは、前述した加圧浮上分離装置１にさらに磁気分離装置を設けたもので、加圧浮上分離装置１で処理した処理水を磁気分離装置でさらに処理するようにしており、以下詳説する。なお、加圧浮上分離装置１の構成については前述したものと同様であり、説明は省略する。
【００３２】
図３において、１０は加圧浮上分離装置１の排出管３１が接続された担磁槽１０であり、加圧浮上分離装置１によって処理された処理水が担磁槽１０に導入される。
【００３３】
この担磁槽１０は、貯留した処理水に供給装置１１によって担磁薬剤などを添加することで、ＳＳ（浮遊物質）やＣＯＤ（化学的酸素要求量）成分に磁性を持たせるようにしている。
【００３４】
そして、担磁槽１０でＳＳやＣＯＤ成分に磁性を持たせた処理水を磁性フィルタ１２に供給する。磁性フィルタ１２は、超伝導磁石１３によって高磁場を印加することで、大きな高勾配磁場が生じており、この磁性作用で上述のように磁性を持たせたＳＳやＣＯＤ成分を捕捉する。
【００３５】
このように加圧浮上分離装置１と磁気分離装置とを組み合わせ、加圧浮上分離装置１で十分に油分を除去した後にその処理水を磁気分離装置で処理するようにしているため、磁気分離装置では油による悪影響を受けることなく、処理水に含まれるＳＳやＣＯＤ成分を効率良く行うことができる。つまり、磁性フィルタ１２に油が付着すると磁場に悪影響を与えて捕捉精度の低下を招くことになるが、予め本発明の加圧浮上分離装置１によって原水中の油分を高効率で除去しているため、磁気分離装置での処理に油分が悪影響を与えることがない。
【００３６】
これにより、油分が多い洗浄水などであっても上述した処理システムによって再度洗浄水として再利用できるまで容易に処理することができ経済的であるとともに、環境にもやさしく、しかも装置が簡単であり小型で設備費も安価な優れた処理システムを構築することができる。
【００３７】
なお、上述した実施形態は、あくまでも本発明の好適な実施態様を示すものであって、本発明はこれに限定されることなく、その範囲内において種々設計変更可能である。
【００３８】
例えば、除去手段は廃水溝に限らず、例えば水面上の油分をかき取って除去するようなものであってもよい。
【図面の簡単な説明】
【００３９】
【図１】本発明の加圧浮上分離装置の構成を示す側面から見た概略図である。
【図２】導入部を示す斜視図である。
【図３】加圧浮上分離装置と磁気分離装置とを組み合わせた処理システムを示す概略図である。
【符号の説明】
【００４０】
１  加圧浮上分離装置
２  導入部
３  排出部
４  処理槽
５  傾斜板
６  微細気泡放出手段
１２  磁性フィルタ
１３  超伝導磁石
【図１】
2007021344.tif 000003
【図２】
2007021344.tif 000004
【図３】
2007021344.tif 000005